(57)【要約】【課題】高効率の送信及び受信を維持しながら、送信及び受信を同時に行うことが可能なアンテナ装置を提供すること。【解決手段】携帯電話用であって、全二重通信用に構成されたアンテナ装置は、１つの送信サブユニット（２）及び１つの受信サブユニット（３）を有する無線通信ユニット（１）を備える。少なくとも１つの第１アンテナエレメント（６）は、（第１）能動整合回路網（５）を介して送信サブユニット（２）に接続される。第１アンテナエレメント（６）から分離及び独立した少なくとも１つの第２アンテナエレメント（８）は、受信サブユニット（３）に接続される。一実施形態において、第２アンテナエレメント（８）と受信サブユニット（３）との間に（第２）能動整合回路網（１１）が接続される。第１及び第２アンテナエレメントは、１以上の放射体を備えてもよい。【選択図】図２
2007531389.tif 000002
【特許請求の範囲】
【請求項１】
全二重通信用に構成された無線通信装置、例えば携帯電話機、用のアンテナ装置であって、
トランシーバユニット（１）及び電波送受信手段を備え、
前記電波送受信手段は（第１）能動整合回路網（５）を有するアンテナ装置であって、
前記電波送受信手段は、前記（第１）能動整合回路網（５）を介して前記トランシーバユニット（１）の送信サブユニット（２）に接続された少なくとも１つの第１アンテナエレメント（６）、及び前記第１アンテナエレメント（６）から分離及び独立し、前記トランシーバユニット（１）の受信サブユニット（３）に接続された少なくとも１つの第２アンテナエレメント（８）を有することを特徴とするアンテナ装置。
【請求項２】
前記電波送受信手段は、前記（第１）整合回路網（５）を介して前記送信サブユニット（２）に接続された２以上のアンテナエレメント（９，１０）を有することを特徴とする請求項１に記載のアンテナ装置。
【請求項３】
前記第１アンテナエレメント（６）は、相互に接続可能であると共に、複数の組み合わせで前記（第１）整合回路網（５）と相互接続可能な複数の放射体を有することを特徴とする請求項１又は２に記載のアンテナ装置。
【請求項４】
前記電波送受信手段は、前記トランシーバユニット（１）の前記受信サブユニット（３）に接続された２以上のアンテナエレメントを有することを特徴とする請求項１〜３のいずれか一項に記載のアンテナ装置。
【請求項５】
前記電波送受信手段は、前記第２アンテナエレメント（８）と前記トランシーバユニット（１）の前記受信サブユニット（３）との間に接続された第２能動整合回路網を有することを特徴とする請求項１〜４のいずれか一項に記載のアンテナ装置。
【請求項６】
前記第１アンテナエレメント（６）及び前記第２アンテナエレメント（８）は、分離した供給線（それぞれ４，７）を介して給電されることを特徴とする請求項１〜５のいずれか一項に記載のアンテナ装置。
【請求項７】
前記第１アンテナエレメント（６）は、携帯電話機の上部に配置され、
一方、前記第２アンテナエレメント（８）は、携帯電話機の下部に配置されることを特徴とする請求項１〜６のいずれか一項に記載のアンテナ装置。
【発明の詳細な説明】
【技術分野】
【０００１】
本発明は、能動整合回路網（active matching network）を有するトランシーバユニット及び電波送受信手段を備え、全二重通信用に構成された無線通信装置用のアンテナ装置に関し、例えば、携帯電話機用のアンテナ装置に関する。
【背景技術】
【０００２】
携帯電話機用のアンテナに関する完全に優勢な概念には、単一供給を伴う単一アンテナの使用が含まれている。このアンテナの外観が一見したところ平行に使用される複数のアンテナであったとしても、事実はそうではない。このアンテナでは単一供給のみが行われ、このアンテナは、種々の周波数帯用に、長さが異なる複数の分枝を有する。このようなメインのアンテナに加えて、放射を改善する寄生エレメント（parasite elements）があってもよい。これらの寄生エレメントは、「フローティング状態」であっても接地されていてもよい。
【０００３】
全二重通信の携帯電話機、いわゆる第３世代携帯電話（3G telephones）、は当業者に公知である。これらの携帯電話機は、標準的には、中央無線ユニットから放射供給する１つのアンテナを有する。
【０００４】
第２世代システム及び第３世代システムの両方で機能する携帯電話機も当業者に公知である。これらの携帯電話機は、標準的には、第２世代システム用の埋め込みアンテナ及び第３世代用の単一外部アンテナを使用する。
【発明の開示】
【発明が解決しようとする課題】
【０００５】
携帯電話の設計及び構成において重要性が増大している事項は、携帯電話の充電バッテリで操作可能な時間である。携帯電話において、大量の電力を消費するのは送信回路である。携帯電話の範囲が十分であるためには、最小限の電力出力が携帯電話機のアンテナから放射されなければならない。この放射電力の出力がどれくらい大きいかは、通常、送信回路に供給される電力がどれだけ大きいかという効率の高さのみならず、大部分はアンテナ又はアンテナシステムの効率の高さに依存するだろう。全体で生じる損失の大部分は、アンテナと送信回路間の不整合によって生じる損失である。
【０００６】
送信回路において、アンテナの最も近くに位置する構成部品は、インピーダンス５０Ωに最適化される。可能な限り高効率のアンテナを得るために、アンテナも送信回路に対してインピーダンス５０Ωを示さなければならない。アンテナが、相互に分離及び独立した複数の周波数帯で通信可能であることが期待され、さらに、アンテナが利用可能なスペースが縮小しているとき、このことは困難になる。
【０００７】
この問題は、不整合の場合の電力伝搬の減少に限定されず、無線モジュールへ反射回帰する電力により無線機能が阻害されるという広範囲の問題も生じている。
【０００８】
アンテナと送信回路とを整合させるために、インダクタンス及びキャパシタンスを含む整合回路網が使用される。整合回路網の設計及び構成においては、整合性能及びバンド幅について考慮しなければならない。優れた整合を示す整合回路網は、結果として、非常に狭い周波数帯に限定される。異なる整合回路網（複数）の使用により、各整合回路網は、全通信可能範囲（total coverage）が十分なように狭い周波数帯をカバーする。あるいは、構成部品の連結又は解離によって整合回路網がより広い周波数帯をカバーすることができるように整合回路網内部で切換が実施されてもよい。しかしながら、適応整合回路網（adaptive matching network）の各設定において、整合が良好な場合、周波数範囲は非常に狭い。
【０００９】
全二重通信の無線通信装置は、送信と受信を同時に行うことができる。規格のＷＣＤＭＡ（広帯域符号分割多元接続；Wideband Code Division Multiple Access）によれば、各周波数帯の範囲内において送信及び受信が異なる周波数で行われることによりこのことが達成される。上述の規格は、送信周波数と受信周波数の間の谷間、いわゆる送受信切換器間隔（duplexer distance）、は１９０ＭＨｚであることを必要とする。各設定位置において、適応整合回路網は、３０ＭＨｚのオーダの大きさの周波数範囲のみを処理する。整合回路網が送信周波数で最適性能になるように設定されている場合、即ち、高効率を求める要求が最大であるとき、アンテナが受信時に相当の整合欠陥を被るであろうことをこれは意味する。
【００１０】
不運にも谷間がとても狭いので、送信機Ｔｘと受信機Ｒｘを独立して整合させることもできない。そのため、ＧＳＭ（Global System for Mobile communication）９００帯とＧＳＭ１８００帯間の間隔のような、７００ＭＨｚより広い間隔が必要とされる。
【００１１】
本発明の目的は、背景技術に内在的な欠点を回避するような冒頭に示したアンテナ装置を構成することである。特に、本発明の目的は、高効率の送信及び受信を維持しながら、送信及び受信を同時に行うことが可能なアンテナ装置を構成することである。
【課題を解決するための手段】
【００１２】
電波を送信及び受信する手段が、能動整合回路網を介してトランシーバユニットの送信サブユニットに接続される少なくとも１つの第１アンテナエレメント、及び第１アンテナエレメントから分離及び独立してトランシーバユニットの受信サブユニットに接続される少なくとも１つの第２アンテナエレメントを備えることが、冒頭に示されるアンテナ装置の特徴であれば、本発明の基礎を形成する目的は達成されるだろう。
【００１３】
本発明の第１視点によれば、全二重通信用に構成された無線通信装置、例えば携帯電話機、用のアンテナ装置であって、トランシーバユニット及び電波送受信手段を備え、電波送受信手段は（第１）能動整合回路網を有し、電波送受信手段は、（第１）能動整合回路網を介してトランシーバユニットの送信サブユニットに接続された少なくとも１つの第１アンテナエレメント、及び第１アンテナエレメントから分離及び独立し、トランシーバユニットの受信サブユニットに接続された少なくとも１つの第２アンテナエレメントを有することを特徴とするアンテナ装置を提供する。
【００１４】
上記第１視点の好ましい形態によれば、電波送受信手段は、（第１）整合回路網を介して送信サブユニットに接続された２以上のアンテナエレメントを有する。
【００１５】
上記第１視点の好ましい形態によれば、第１アンテナエレメントは、相互に接続可能であると共に、複数の組み合わせで（第１）整合回路網と相互接続可能な複数の放射体を有する。
【００１６】
上記第１視点の好ましい形態によれば、電波送受信手段は、トランシーバユニットの受信サブユニットに接続された２以上のアンテナエレメントを有する。
【００１７】
上記第１視点の好ましい形態によれば、電波送受信手段は、第２アンテナエレメントとトランシーバユニットの受信サブユニットとの間に接続された（第２）能動整合回路網を有する。
【００１８】
上記第１視点の好ましい形態によれば、第１アンテナエレメント及び第２アンテナエレメントは、分離した供給線を介して給電される。
【００１９】
上記第１視点の好ましい形態によれば、第１アンテナエレメントは、携帯電話機の上部に配置され、一方、第２アンテナエレメントは、携帯電話機の下部に配置される。
【発明の効果】
【００２０】
これらの特徴によって以下の利点が得られる：送信機Ｔｘ用のアンテナエレメントと受信機Ｒｘ用のアンテナエレメントとを分離する解決手段はいくつかの効果（利点）を有する。アンテナエレメントが（互いに）分離されると、隔離が改善される。アンテナへの１つの供給伝送線用の１つのダイプレクサフィルタを作製する代わりに、２つの伝送線が使用でき、より良い特徴を備える２つの帯域フィルタを作製することができる。１つの大きなアンテナエレメントが複数の（いくつかの）小さなアンテナエレメントに分割されると、それまで使用されていなかったスペースを利用できる可能性がある。例えば、一方のアンテナエレメントは携帯電話機の上部に配置することができ、他方は下部に配置することができる。
【発明を実施するための最良の形態】
【００２１】
本発明は、添付図面を参照して、以下により詳細に説明される。
【００２２】
本明細書において、従来の基地局及び従来の携帯電話機の事例が、本発明を説明するために使用される。消費者の電子機器の発達により、電話機、小さな携帯型コンピュータ、又は携帯型もしくは静置型コンピュータに挿入されるカード間の差異は不明確になっているので、本発明がこれらの事例の１つのみに限定されないことはいうまでもない。
【００２３】
添付図面において、参照符号１は、送信サブユニット２及び受信サブユニット３を有する無線ユニットに関する。第１供給線４は、送信サブユニット２から能動又は適応整合回路網５へ延在する。整合回路網５は、送信サブユニット２が生ずるエネルギーを放射するように構成されている第１アンテナエレメント６に接続される。
【００２４】
無線ユニット１の受信サブユニット３は、第２供給線７を介して第２アンテナエレメント８に接続される。第２供給線７及び第２アンテナエレメント８は共に第１供給線４及び第１アンテナエレメント６から独立分離される。
【００２５】
整合回路網５は、Ｌ型、Ｔ型もしくはΠ型であってもよいし、又はこれらの組み合わせであってもよい。整合回路網が第１アンテナエレメント６と送信サブユニット２の送信回路とを高精度で整合することができるように、整合回路網５は、相互に再切換可能な複数のインダクタンス及びキャパシタンスを備える。
【００２６】
整合回路網５は、整合回路網における種々の構成部品の切換を制御する制御入力（端子）１２を有する。制御入力（端子）１２は、どの周波数帯で送信が実行されるのかに関して情報を取り出すことができる携帯電話機の回路とも接続される。
【００２７】
好ましい実施形態においては、整合回路網５は、アンテナとＲｘ及びＴｘ回路との最適な整合のためにインダクタンス及びキャパシタンスを設定するソフトウェアを組み込んだマイクロプロセッサを備える。制御入力（端子）１２は、携帯電話機の電子機器から整合回路網に、通信の周波数及びタイプ（例えばＧＳＭ９００、ＧＳＭ１８００、ＧＳＭ１８００、ＧＳＭ１９００又はＷＣＤＭＡ）や環境状態等の操作状態に関する必要な制御情報を提供する。環境が受信及び送信信号にどれくらい影響するかについての情報は、例えばＲＳＳＩ（Receiver Signal Strength Indicator）、送信機のＶＳＷＲ（Voltage Standing Wave Ratio）、ＢＥＲ（Bit Error Rate）又はＣ／Ｎ（信号／ノイズ比）を通じて携帯電話機の電子機器から受け取ることができる。
【００２８】
第１アンテナエレメント６は、整合回路網を介した好適な整合によって複数の種々の周波数で共振することができる単一アンテナでもよい。
【００２９】
図１は、第１アンテナエレメント６が、長さが異なる２つの放射体を有する一実施形態を示す。この例では、高周波数で短い放射体９が使用され、長い放射体１０が低周波数で共振する。
【００３０】
しかしながら、第１アンテナエレメント６は、相互に連結可能であると共に、複数の代替可能な組み合わせをもって整合回路網と相互連結可能である、複数の異なる放射体から形成されるように構成されてもよい。
【００３１】
整合回路網５によって達成される送信機能の最適化によって、狭い周波数範囲内で高効率の送信機能が得られるだろう。仮に受信機能も第１アンテナエレメント６を介するものとすれば、整合回路網５は、受信周波数から１９０ＭＨｚ離れた周波数に「焦点を合わせる」ので、その結果受信機能は極端に貧弱になるだろう。独立した第２アンテナエレメント８及び結合されかつ独立した第２供給線７の使用によって、受信機能も高効率で実行されるので、この問題は回避される。
【００３２】
上記実施形態に代わる実施形態として、第２アンテナエレメント８と受信サブユニット３の間に、図２に示すような能動又は適応整合回路網１１を使用することもできることについて言及する。この場合、整合回路網１１は、第１適応整合回路網５から独立及び分離している。
【００３３】
第２アンテナエレメント８は、第１アンテナエレメント６について説明したように、２以上の放射体を有することもできる。また、整合回路網１１は制御入力（端子）１２を有する。
【００３４】
第１及び第２アンテナエレメント６，８間の相互干渉はそれぞれ、可能な限り小さくしたほうがよいので、例えば、第１アンテナエレメント６を携帯電話機の上部領域に配置し、第２アンテナエレメント８をその下部領域に配置することが好適であることもある。換言すれば、できるだけ互いから大きく離して２つのアンテナエレメントを配置することが好適である。
【００３５】
図３は、本発明の他の実施形態を示し、本発明がどのようにして実施可能かを示す多くの例うちの１つを例示する。無線ユニット（電話機）１は、ＧＳＭ９００、ＧＳＭ１８００、ＧＳＭ１９００及びＷＣＤＭＡを支持する。それぞれの周波数割り当ての概要を表１に示す。
【００３６】
【表１】
2007531389.tif 000003
【００３７】
表１に示されるように、ＧＳＭ１９００が位置する場所（帯域）にＷＣＤＭＡのＴｘ部分は位置する（帯域を有する）。したがって、ＧＳＭ９００／ＧＳＭ１８００／ＧＳＭ１９００をカバーする通常の第１アンテナエレメント６は、ＷＣＤＭＡのＴｘ部分を自動的にカバーするだろう。追加された適応整合回路網５を用いて、この第１アンテナエレメント６は、これらの周波数帯も同様にカバーし、他の場所（帯域）に位置する補助の第２アンテナエレメント８は、ＷＣＤＭＡのＲｘを支持することができる。適応整合回路網５は、ＷＣＤＭＡのＴｘのみならず、ＧＳＭ９００、ＧＳＭ１８００及びＧＳＭ１９００にも使用することができる。この適応整合回路網５に適した１つの位置は、ダイプレクサモジュール内である。このモジュールは、適応整合回路網５用の構成部品も作製可能なセラミック基板内に形成することができる。フリップチップ技術によって搭載された基板の上に、ＣＭＯＳ、ＬＤＭＯＳに作製され、ＭＥＭＳスイッチを使用可能な操縦（制御）回路（steering circuit）を搭載することができる。
【００３８】
本明細書には、本発明がどのようにしてＷＣＤＭＡシステムで実施可能であるかが示されている。当然に、当業者であれば、本発明がいかなる二重通信システム（duplex system）でも実施可能であることを理解するであろう。
【００３９】
上述の整合回路網５の代替実施形態又は改良実施形態として、以下に説明されるアンテナ調整ユニットがある。
【００４０】
アンテナ整合は、キャパシタバンクに配列された切換分路キャパシタ（switched shunt capacitor）及び外部直列インダクタ（external series inductors）に基づいた適応整合で改善される。完全な５０Ω→５０Ω変換には１ｄＢの電力損失があり、ＶＳＷＲ＝１．５で収支ゼロ、及びＶＳＷＲ＝４．３で伝送電力が３ｄＢ増大する。
【００４１】
Ｉ．序論
適応整合回路網は、アンテナと無線機の初／最終段、典型的にはＰＡ又はＬＮＡ、との間に挿入される。時には、フィルタがＰＡ又はＬＮＡの前に置かれる。完全な適応整合回路網は、それ自体が標準及び新規の構成単位（building block）の組み合わせである。
【００４２】
主な概念は、（Ω記号及び矢印と共にボックスとして図４に示されている）整合回路網の関心事（care）がベースバンド又は検出器のいずれかからの信号で制御されることである。ベースバンド信号は、典型的には、ＢＥＲ値、Ｓ／Ｎ値及び他のパラメータを利用可能である受信機の場合に使用されるであろう。サンプルアンドホールド回路によって示された電力検出器は、典型的には、送信時の場合のように、高電力が使用されるときに使用されるであろう。制御器システムは、可能なすべての組み合わせの中から回路網を切り換え、最高の性能を得る状態に到達させることができる。
【００４３】
回路網の関心事のように、切換キャパシタバンク（複数）及び固定インダクタ（複数）を備える配列が使用される。図５は、この回路配列（トポロジ）の例を示す。負荷は、典型的には、アンテナであろう。スイッチは、ゲート電圧によって制御されるトランジスタである。スイッチは、導通している場合はＯＮとなり、導通していない場合にはＯＦＦとなる。
【００４４】
広範囲なインピーダンスを整合するのに十分な許容範囲を得るためには、単一のインダクタでは不十分であろう。１つの解決手段は、図５のように配列された２つのインダクタ及び３つのキャパシタバンクからなる第１回路網を有する。別の実施形態として、ボンドワイヤ（bond wires）に好適な解決手段を構成することもできる。それは、ボンドワイヤによって作製された２つのインダクタ及び中心にある１つの付加的インダクタからなる。２つのキャパシタバンクは、その３つのインダクタの間に配置される。この第２回路網は第１回路網と同様の性能を有する。
【００４５】
ＩＩ．スイッチ及びキャパシタ
スイッチ及び切り換えられているキャパシタにとっての最も重要な２つの要素は、ＯＮ状態のＱ値（quality factor）Ｑ、及びＯＮ状態とＯＦＦ状態間の容量差、すなわち同調レンジ、である。ＤＣ電流はキャパシタを通って流れないので、トランジスタはトライオード領域（triode region）にある。ＯＮ状態では、トランジスタはドレイン−ソース直列抵抗ｒｄｓ０として振舞う。Ｑは下記の式［数１］〜［数３］によって与えられるので、高ゲート電圧で駆動される幅広で短いトランジスタではＱ値が増加することは明らかである。最高の性能にとって、選択される長さは、できる限り短く、ゲート電圧はできる限り高いほうがよい。しかしながら、幅はＱ値と同調レンジの間のトレードオフとして使用されるだろう。
【００４６】
【数１】
2007531389.tif 000004
【００４７】
【数２】
2007531389.tif 000005
【００４８】
【数３】
2007531389.tif 000006
【００４９】
ＯＦＦ状態では、ｒｄｓは非常に大きく、インピーダンスに影響が無い。その代わり、ＯＮ状態では無視してもよいドレイン−バルク及びドレイン−ゲート容量が支配的となる。スイッチがＯＦＦであるとき、直列接続は、切り換えられた容量Ｃとドレイン容量Ｃｄとで形成される。ドレイン容量はトランジスタの幅に比例するので、幅広いトランジスタはＱ値を増加させるが、今度は同調レンジを減少させるＯＦＦ容量も増加させる。これにより、図６に示すような、Ｑ値及び同調レンジ（ＣＯＮ／ＣＯＦＦ）がトランジスタ幅の関数としてプロットされる妥協（compromise）が導かれる。
【００５０】
ＩＩＩ．整合理論
バンクが提供することができる最大及び最小容量は、同調レンジを式［数４］として定義することができる容量窓（capacitance window）を作成する。ここで、ｒは同調レンジ、Ｃｍａｘは容量最大値、及びＣｍｉｎは容量最小値である。この窓の範囲内において、複数の容量値が配置されるだろう。その数は、バンクの中のスイッチの数に依存する。二進的重み付け（binary weighting）によって、作成可能な容量は、均等に分布されるだろう。バンクの中に配置すべき最小容量値は、式［数５］及び［数６］から計算することができる。ここで、Ｎはバンク中のスイッチの数、ａは重み（二進的重み付けの場合には２）、及びＣＯＮはバンク中における容量の最小値である。その他の容量は、ＣＯＮ、２ＣＯＮ等となるだろう。
【００５１】
【数４】
2007531389.tif 000007
【００５２】
【数５】
2007531389.tif 000008
【００５３】
【数６】
2007531389.tif 000009
【００５４】
８つのスイッチでは、２８＝２５６の異なる状態が負荷インピーダンスの唯一のインピーダンス変換で作成される。併せて、これらの状態は整合領域（matching domain）を作成する。もし容量がＣｍｉｎとＣｍａｘとの間で連続的に同調可能であるなら、整合領域内のすべてのインピーダンス点に達することが可能だろう。整合領域は図７にプロットされている。
【００５５】
整合された負荷及び整合されていない負荷に配される電力間の差異は、図８に示されているように改良としてプロットすることができる。いくつかの重要な特徴（figures）を認めることができる。完全な整合が仮定されるとすれば、５０Ω→５０Ω変換は回路網の損失を示すので重要である。負荷における理想電力は約０．８ｄＢに、又は１ｄＢまで下がる。負荷が回路網無しで完全に整合されたとしても、１ｄＢを犠牲にすることは多くの場合許容される。アンテナは狭いバンドで整合することができるだけであるので、アンテナはほとんどの場合完全に整合されない。よりよい整合によって作成された改良が損失と同等である点は、可能な最小ＶＳＷＲで達成されなければならない。このとき、それは、アンテナの通常の値よりもより良い値、即ち、ＶＳＷＲ＝１．５で得られる。実際、第１回路網又は第２回路網を使用して改良出力電力を期待することができる。また、負荷に配される電力が、整合なしの場合の２倍である３ｄＢ増加点も重要である。第１及び第２回路網において、３ｄＢ点は、ＶＳＷＲ＝４．３に位置する。
【図面の簡単な説明】
【００５６】
【図１】本発明の装置の概略図。
【図２】図１とは別の実施形態に係る本発明の装置の概略図。
【図３】図１及び図２とは別の実施形態に係る本発明の装置の概略図。
【図４】アンテナの前に配置されたインピーダンス同調回路。
【図５】分路に配置されたスイッチは、ソースをグランドに接続することができ、これにより変調が最小化される。ここには３つのバンクが形成されている。
【図６】Ｑ値及び同調レンジはトランジスタの幅に大きく依存する。この２つの間のトレードオフが必要である。
【図７】各点は、５０Ωインピーダンスを変換することができるインピーダンスを示す。
【図８】整合無しの場合と比較された、２つの異なる回路網における改良ｄＢを示す。３番目の曲線は、インダクタをＬＴＣＣからＣＭＯＳへ代えたときの結果を示す。
【符号の説明】
【００５７】
１      無線ユニット
２      送信サブユニット
３      受信サブユニット
４      第１供給線
５      整合回路網
６      第１アンテナエレメント
７      第２供給線
８      第２アンテナエレメント
９      放射体
１０      放射体
１１      整合回路網
１２      制御入力（端子）
【図１】
2007531389.tif 000010
【図２】
2007531389.tif 000011
【図３】
2007531389.tif 000012
【図４】
2007531389.tif 000013
【図５】
2007531389.tif 000014
【図６】
2007531389.tif 000015
【図７】
2007531389.tif 000016
【図８】
2007531389.tif 000017
【手続補正書】
【提出日】平成17年11月22日(2005.11.22)
【手続補正１】
【補正対象書類名】特許請求の範囲
【補正対象項目名】全文
【補正方法】変更
【補正の内容】
【特許請求の範囲】
【請求項１】
全二重通信用に構成された無線通信装置、例えば携帯電話機、用のアンテナ装置であって、
トランシーバユニット（１）と、（第１）整合回路網（５）を介して前記トランシーバユニット（１）の送信サブユニット（２）に接続された少なくとも１つの第１アンテナエレメント（６）と、前記第１アンテナエレメント（６）から分離及び独立し、前記トランシーバユニット（１）の受信サブユニット（３）に接続された少なくとも１つの第２アンテナエレメント（８）と、を備え、
前記（第１）整合回路網（５）は、前記第１アンテナエレメント（６）と前記送信サブユニット（２）の回路とを整合する回路網を形成する制御器を備える適応整合回路網であり、
前記（第１）整合回路網（５）は、携帯電話機の回路と通信する制御入力端子（１２）を有することを特徴とするアンテナ装置。
【請求項２】
前記第１アンテナエレメント（６）は、前記（第１）整合回路網（５）を介して前記送信サブユニット（２）に接続された２以上の放射体（９，１０）を有することを特徴とする請求項１に記載のアンテナ装置。
【請求項３】
前記第１アンテナエレメント（６）は、複数の放射体（９，１０）を備え、
前記複数の放射体（９，１０）は、相互接続可能であると共に、複数の組み合わせで前記（第１）整合回路網（５）と相互接続可能であることを特徴とする請求項１又は２に記載のアンテナ装置。
【請求項４】
前記第２アンテナエレメント（８）は、前記トランシーバユニット（１）の前記受信サブユニット（３）に接続された２以上の放射体を有することを特徴とする請求項１〜３のいずれか一項に記載のアンテナ装置。
【請求項５】
（第２）能動整合回路網が、前記第２アンテナエレメント（８）と前記トランシーバユニット（１）の前記受信サブユニット（３）との間に接続されることを特徴とする請求項１〜４のいずれか一項に記載のアンテナ装置。
【国際調査報告】
2007531389.tif 000018
2007531389.tif 000019
2007531389.tif 000020